(57)【要約】【課題】無線通信システムにおけるセル探索を遂行する方法を提供する。【解決手段】セル探索を遂行する方法は、ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を受信して、前記ＰＳＳから固有識別子を獲得して、セル識別子グループと関連するＳＳＳ（ｓｅｃｏｎｄａｒｙ  ｓｙｎｃｈｒｏｎｉｚａｔｉｏｎ  ｓｉｇｎａｌ）を受信し、前記ＳＳＳは、２個のＳＳＣ（Ｓｅｃｏｎｄａｒｙ  Ｓｙｎｃｈｒｏｎｉｚａｔｉｏｎ  Ｃｏｄｅ）を含み、及び前記セル識別子グループ内で前記固有識別子により定義されるセル識別子を獲得することを含み、前記２個のＳＳＣは、２個の相異なるスクランブリングコードを介して各々スクランブルされる。同期信号の検出性能が向上され、セル探索が一層確実に遂行されることができる。【選択図】図８
2010531610.tif 000002
【特許請求の範囲】
【請求項１】
無線通信システムにおけるセル探索を遂行する方法において、
ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を受信して、
前記ＰＳＳから固有識別子を獲得して、
セル識別子グループと関連するＳＳＳ（ｓｅｃｏｎｄａｒｙ  ｓｙｎｃｈｒｏｎｉｚａｔｉｏｎ  ｓｉｇｎａｌ）を受信し、前記ＳＳＳは、２個のＳＳＣ（Ｓｅｃｏｎｄａｒｙ  Ｓｙｎｃｈｒｏｎｉｚａｔｉｏｎ  Ｃｏｄｅ）を含み、及び
前記セル識別子グループ内で前記固有識別子により定義されるセル識別子を獲得することを含み、
前記２個のＳＳＣは、２個の相異なるスクランブリングコードを介して各々スクランブルされ、前記２個のＳＳＣは、生成多項式ｘ５＋ｘ２＋１により生成されるｍ−シーケンスで定義され、前記２個のスクランブリングコードは、生成多項式ｘ５＋ｘ３＋１により生成されるｍ−シーケンスで定義される方法。
【請求項２】
前記ＳＳＳは、第１のＳＳＳと第２のＳＳＳとを含み、前記第１のＳＳＳに使われる２個のスクランブリングコードは、前記第２のＳＳＳに使われる２個のスクランブリングコードと同じである請求項１に記載の方法。
【請求項３】
前記第１のＳＳＳの第１のＳＳＣは、第１のスクランブリングコードでスクランブルされ、前記第１のＳＳＳの第２のＳＳＣは、第２のスクランブリングコードでスクランブルされ、前記第２のＳＳＳの第１のＳＳＣは、前記第２のスクランブリングコードでスクランブルされ、前記第２のＳＳＳの第２のＳＳＣは、前記第１のスクランブリングコードでスクランブルされる請求項２に記載の方法。
【請求項４】
前記生成多項式ｘ５＋ｘ２＋１と前記生成多項式ｘ５＋ｘ３＋１とは、お互いに逆関係（ｒｅｖｅｒｓｅ  ｒｅｌａｔｉｏｎｓｈｉｐ）を有する請求項１に記載の方法。
【請求項５】
ＳＳＣは、スクランブリングコードと同じ長さを有する請求項１に記載の方法。
【請求項６】
前記２個のＳＳＣは、相異なる循環シフトを用いて生成される請求項１に記載の方法。
【請求項７】
前記２個のスクランブリングコードは、相異なる循環シフトを用いて生成される請求項１に記載の方法。
【請求項８】
前記２個のスクランブリングコードは、前記ＰＳＣと関連する請求項１に記載の方法。
【請求項９】
前記ＰＳＳと前記ＳＳＳとは、連続的なＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを介して受信される請求項１に記載の方法。
【請求項１０】
前記２個のＳＳＣは、交互に（ｉｎｔｅｒｌｅａｖｅｄ）副搬送波にマッピングされる請求項１に記載の方法。
【請求項１１】
無線通信システムにおける同期信号を伝送する方法において、
ＰＳＣを含むＰＳＳを伝送して、及び
第１のＳＳＣと第２のＳＳＣとを含む第１のＳＳＳを伝送することを含み、
前記第１のＳＳＣは、第１のスクランブリングコードを用いてスクランブルされ、前記第２のＳＳＣは、第２のスクランブリングコードを用いてスクランブルされ、
前記第１のＳＳＣと前記第２のＳＳＣとは、生成多項式ｘ５＋ｘ２＋１により生成されるｍ−シーケンスで定義され、前記第１のスクランブリングコードと前記第２のスクランブリングコードとは、生成多項式ｘ５＋ｘ３＋１により生成されるｍ−シーケンスで定義される方法。
【請求項１２】
前記第１のＳＳＣと前記第２のＳＳＣとは、相異なる循環シフトを用いて生成される請求項１１に記載の方法。
【請求項１３】
前記第１のスクランブリングコードと前記第２のスクランブリングコードとは、相異なる循環シフトを用いて生成される請求項１１に記載の方法。
【請求項１４】
前記第１のＳＳＣと前記第２のＳＳＣとを含む第２のＳＳＳを伝送することをさらに含み、前記第２のＳＳＳの第１のＳＳＣは、前記第２スクランブリングコードを用いてスクランブルされ、前記第２のＳＳＳの第２のＳＳＣは、前記第１のスクランブリングコードを用いてスクランブルされる請求項１１に記載の方法。
【請求項１５】
無線通信システムにおける同期信号を獲得する方法において、
基地局から伝送されるＰＳＳによりＰＳＣを確認して、及び
前記基地局から伝送されるＳＳＳにより２個のＳＳＣを確認することを含み、
前記２個のＳＳＣは、２個の相異なるスクランブリングコードを介して各々スクランブルされ、前記２個のＳＳＣは、生成多項式ｘ５＋ｘ２＋１により生成されるｍ−シーケンスで定義され、前記２個のスクランブリングコードは、生成多項式ｘ５＋ｘ３＋１により生成されるｍ−シーケンスで定義される方法。
【請求項１６】
前記ＳＳＳは、第１のＳＳＳと第２のＳＳＳとを含み、前記第１のＳＳＳに使われる２個のスクランブリングコードは、前記第２のＳＳＳに使われる２個のスクランブリングコードと同じである請求項１５に記載の方法。
【請求項１７】
前記第１のＳＳＳの第１のＳＳＣは、第１のスクランブリングコードでスクランブルされ、前記第１のＳＳＳの第２のＳＳＣは、第２のスクランブリングコードでスクランブルされ、前記第２のＳＳＳの第１のＳＳＣは、前記第２のスクランブリングコードでスクランブルされ、前記第２のＳＳＳの第２のＳＳＣは、前記第１のスクランブリングコードでスクランブルされる請求項１６に記載の方法。
【発明の詳細な説明】
【技術分野】
【０００１】
本発明は、無線通信に関し、より詳しくは、無線通信システムにおけるセル探索を遂行する方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）のＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムは、基地局の区別のために総５１２個の長いＰＮスクランブリングコード（ｌｏｎｇ  ｐｓｅｕｄｏ  ｎｏｉｓｅ  ｓｃｒａｍｂｌｉｎｇ  ｃｏｄｅ）を使用する。基地局は、相異なる長いＰＮスクランブリングコードをダウンリンクチャネルのスクランブリングコードとして使用する。
【０００３】
端末に電源が印加されれば、端末は、初期セルのシステム同期化（ｓｙｎｃｈｒｏｎｉｚａｔｉｏｎ）及び前記初期セルの長いＰＮスクランブリングコード識別子を獲得する過程を遂行する。これをセル探索（ｃｅｌｌ  ｓｅａｒｃｈ）という。セル探索とは、端末が、セルとの時間及び周波数同期化を獲得して、セルのセル識別子を検出する手順をいう。初期セルは、電源が印加された時点で端末の位置に応じて決定され、一般的に、端末のダウンリンク受信信号に含まれた各基地局の信号成分のうち最も大きい信号成分に該当する基地局のセルを意味する。
【０００４】
ＷＣＤＭＡシステムでは、セル探索を容易にするために５１２個の長いＰＮスクランブリングコードを６４個のコードグループに分け、１次同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びＳＳＳ（Ｓｅｃｏｎｄａｒｙ  Ｓｙｎｃｈｒｏｎｉｚａｔｉｏｎ  Ｃｈａｎｎｅｌ；Ｓ−ＳＣＨ）を含むダウンリンクチャネルを使用する。１次同期チャネルは、移動局がスロット（ｓｌｏｔ）同期を獲得する時に用いられ、ＳＳＳは、移動局がフレーム同期とスクランブリングコードグループとを獲得する時に用いられる。
【０００５】
一般的に、セル探索は、端末の電源が付いた後、初期に遂行する初期セル探索（ｉｎｉｔｉａｌ  ｃｅｌｌ  ｓｅａｒｃｈ）と、ハンドオーバーや周辺セル測定（ｎｅｉｇｈｂｏｒ  ｃｅｌｌ  ｍｅａｓｕｒｅｍｅｎｔ）を遂行する非初期セル探索（ｎｏｎ−ｉｎｉｔｉａｌ  ｃｅｌｌ  ｓｅａｒｃｈ）と、に区分される。
【０００６】
ＷＣＤＭＡシステムにおける初期セル探索方式は、大いに３段階方式に行われる。１段階は、ＰＳＣ（Ｐｒｉｍａｒｙ  ｓｙｎｃｈｒｏｎｉｚａｔｉｏｎ  ｃｏｄｅ）を含むＰ−ＳＣＨを用いて端末がスロット同期を獲得する段階である。ＷＣＤＭＡシステムにおいて、フレームは、１５個のスロットを含み、各基地局は、ＰＳＣをフレームに含ませて伝送する。ここで、１５個のスロットの全部に同じＰＳＣが使われ、全ての基地局も同じＰＳＣコードを使用する。端末は、前記ＰＳＣに対する整合フィルタ（ｍａｔｃｈｅｄ  ｆｉｌｔｅｒ）を用いてスロット同期を獲得する。２段階では、スロット同期及びＳＳＣ（Ｓｅｃｏｎｄａｒｙ  Ｓｙｎｃｈｒｏｎｉｚａｔｉｏｎ  Ｃｏｄｅ）を含むＳ−ＳＣＨを用いて長いＰＮスクランブリングコードグループ及びフレーム同期を獲得する。３段階では、フレーム同期化及び長いＰＮスクランブリングコードグループに基づいて共通パイロットチャネルコード相関器（ｃｏｍｍｏｎ  ｐｉｌｏｔ  ｃｈａｎｎｅｌ  ｃｏｄｅ  ｃｏｒｒｅｌａｔｏｒ）を用いて、初期セルの使用する長いＰＮスクランブリングコードに該当する長いＰＮスクランブリングコード識別子を検出する。即ち、一つの長いＰＮスクランブリングコードグループには８個の長いＰＮスクランブリングコードがマッピングされるため、端末は、自分のコードグループに属する８個の長いＰＮスクランブリングコードの各々の相関値を算出して、前記算出結果に基づき、初期セルの長いＰＮスクランブリングコード識別子を検出する。
【０００７】
ＷＣＤＭＡシステムは、非同期システムであるため、Ｐ−ＳＣＨには一つのＰＳＣだけを使用する。然しながら、次世代無線通信システムは、同期と非同期の両方とも支援しなければならない点を考慮する時、複数のＰＳＣを使用する必要がある。
【０００８】
ＳＳＳの検出時にエラーが発生すれば、端末のセル探索が遅延される。従って、セル探索過程でチャネルの検出性能を高める必要がある。
【発明の概要】
【発明が解決しようとする課題】
【０００９】
２次同期信号に相異なるスクランブリングコードを使用する方式にスクランブリングを遂行して検出性能を高める方法が提供される。
【００１０】
また、２次同期信号の検出性能を向上させて信頼できるセル探索を遂行する方法が提供される。
【００１１】
また、同期信号の検出性能を向上させる同期信号伝送方法が提供される。
【課題を解決するための手段】
【００１２】
一態様において、無線通信システムにおけるセル探索を遂行する方法が提供される。前記方法は、ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を受信して、前記ＰＳＳから固有識別子を獲得して、セル識別子グループと関連するＳＳＳ（ｓｅｃｏｎｄａｒｙ  ｓｙｎｃｈｒｏｎｉｚａｔｉｏｎ  ｓｉｇｎａｌ）を受信し、前記ＳＳＳは、２個のＳＳＣ（Ｓｅｃｏｎｄａｒｙ  Ｓｙｎｃｈｒｏｎｉｚａｔｉｏｎ  Ｃｏｄｅ）を含み、及び前記セル識別子グループ内で前記固有識別子により定義されるセル識別子を獲得することを含み、前記２個のＳＳＣは、２個の相異なるスクランブリングコードを介して各々スクランブルされ、前記２個のＳＳＣは、生成多項式ｘ５＋ｘ２＋１により生成されるｍ−シーケンスで定義され、前記２個のスクランブリングコードは、生成多項式ｘ５＋ｘ３＋１により生成されるｍ−シーケンスで定義される。
【００１３】
前記ＳＳＳは、第１のＳＳＳと第２のＳＳＳとを含むことができる。前記第１のＳＳＳに使われる２個のスクランブリングコードは、前記第２のＳＳＳに使われる２個のスクランブリングコードと同一である。前記第１のＳＳＳの第１のＳＳＣは、第１のスクランブリングコードでスクランブルされ、前記第１のＳＳＳの第２のＳＳＣは、第２のスクランブリングコードでスクランブルされ、前記第２のＳＳＳの第１のＳＳＣは、前記第２のスクランブリングコードでスクランブルされ、前記第２のＳＳＳの第２のＳＳＣは、前記第１のスクランブリングコードでスクランブルされる。
【００１４】
他の態様において、無線通信システムにおける同期信号を伝送する方法が提供される。前記方法は、ＰＳＣを含むＰＳＳを伝送して、及び第１のＳＳＣと第２のＳＳＣとを含む第１のＳＳＳを伝送することを含み、前記第１のＳＳＣは、第１のスクランブリングコードを用いてスクランブルされ、前記第２のＳＳＣは、第２のスクランブリングコードを用いてスクランブルされ、前記第１のＳＳＣと前記第２のＳＳＣとは、生成多項式ｘ５＋ｘ２＋１により生成されるｍ−シーケンスで定義され、前記第１のスクランブリングコードと前記第２のスクランブリングコードとは、生成多項式ｘ５＋ｘ３＋１により生成されるｍ−シーケンスで定義される。
【００１５】
また、他の態様において、無線通信システムにおける同期信号を獲得する方法が提供される。前記方法は、基地局から伝送されるＰＳＳによりＰＳＣを確認して、及び前記基地局から伝送されるＳＳＳにより２個のＳＳＣを確認することを含み、前記２個のＳＳＣは、２個の相異なるスクランブリングコードを介して各々スクランブルされ、前記２個のＳＳＣは、生成多項式ｘ５＋ｘ２＋１により生成されるｍ−シーケンスで定義され、前記２個のスクランブリングコードは、生成多項式ｘ５＋ｘ３＋１により生成されるｍ−シーケンスで定義される。
【発明の効果】
【００１６】
セル探索が一層信頼できるように遂行され、遅延されることを防止することができる。併せて、可用のシーケンスの数が増加されて同期信号に載せる情報の量や端末の容量が増加することができる。
【図面の簡単な説明】
【００１７】
【図１】無線通信システムを示すブロック図である。
【図２】無線フレーム構造の一例を示す。
【図３】２個のＳＳＣをＳＳＳに物理的にマッピングする一例を示す。
【図４】２個のＳＳＣをＳＳＳに物理的にマッピングする他の例を示す。
【図５】２個のＳＳＳに対してＳＳＣを各ＳＳＳにマッピングする例を示す。
【図６】２個のＳＳＳに対してＳＳＣを各ＳＳＳにマッピングする他の例を示す。
【図７】本発明の一実施例に係るＳＳＳ構造を示す。
【図８】本発明の他の実施例に係るＳＳＳ構造を示す。
【図９】本発明の他の実施例に係るＳＳＳ構造を示す。
【図１０】本発明の他の実施例に係るＳＳＳ構造を示す。
【図１１】本発明の他の実施例に係るＳＳＳ構造を示す。
【図１２】ＰＳＣ１に対するＳＳＳ構造を示す。
【図１３】ＰＳＣ２に対するＳＳＳ構造を示す。
【図１４】ＰＳＣ３に対するＳＳＳ構造を示す。
【図１５】ＰＳＣ１に対するＳＳＳ構造を示す。
【図１６】ＰＳＣ２に対するＳＳＳ構造を示す。
【図１７】ＰＳＣ３に対するＳＳＳ構造を示す。
【図１８】２セルで全ての衝突可能な場合に対する交差相関分布のＣＤＦ（ｃｕｍｕｌａｔｉｖｅ  ｄｉｓｔｒｉｂｕｔｉｏｎ  ｆｕｎｃｔｉｏｎ）を示すグラフである。
【図１９】本発明の一実施例に係るセル探索を示すフローチャートである。
【発明を実施するための形態】
【００１８】
図１は、無線通信システムを示すブロック図である。無線通信システムは、音声、パケットデータなどのような多様な通信サービスを提供するために広く配置される。
【００１９】
図１を参照すると、無線通信システムは、端末（１０；Ｕｓｅｒ  Ｅｑｕｉｐｍｅｎｔ、ＵＥ）と基地局（２０；Ｂａｓｅ  Ｓｔａｔｉｏｎ、ＢＳ）とを含む。端末（１０）は、固定される、或いは移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）等、他の用語で呼ばれることができる。基地局（２０）は、一般的に端末（１０）と通信する固定された地点（ｆｉｘｅｄ  ｓｔａｔｉｏｎ）をいい、ノードＢ（ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局（２０）には一つ以上のセルが存在することができる。
【００２０】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）基盤システムであることができる。ＯＦＤＭは、複数の直交副搬送波を用いる。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）との間の直交性特性を用いる。伝送器でデータはＩＦＦＴを遂行して伝送する。受信機で受信信号に対してＦＦＴを遂行して元データを復元する。伝送器は、多重副搬送波を結合するためにＩＦＦＴを使用して、受信機は、多重副搬送波を分離するためにＦＦＴを使用する。
【００２１】
Ｉ．シーケンス生成
本発明の一実施例において、２次同期信号（ｓｅｃｏｎｄａｒｙ  ｓｙｎｃｈｒｏｎｉｚａｔｉｏｎ  ｓｉｇｎａｌ、ＳＳＳ）に適用されるシーケンスは、ＰＮ（Ｐｓｅｕｄｏ−Ｎｏｉｓｅ）シーケンスを使用することができる。ＰＮシーケンスとは、再生が可能であり、ランダムシーケンス（ｒａｎｄｏｍ  ｓｅｑｕｅｎｃｅ）と類似の特性を表し、次のような特徴を有する。（１）反復周期が十分に長い。反復周期が無限に長ければランダムシーケンスである。（２）一周期内に０と１の個数が類似する。（３）ラン（ｒｕｎ）長さが、１の部分が１／２、２の部分が１／４、３の部分が１／８、．．．である。ラン長さとは、同じ符号が連続された数字をいう。（４）一周期に各シーケンス間に交差相関（ｃｒｏｓｓ−ｃｏｒｒｅｌａｔｉｏｎ）が相当小さい。（５）小さいシーケンスのセグメントで全体シーケンスを再生することができない。（６）適切な再生アルゴリズムによって再生が可能である。
【００２２】
ＰＮ−シーケンスは、ｍ−シーケンス（ｍ−ｓｅｑｕｅｎｃｅ）、ゴールドシーケンス（Ｇｏｌｄ  ｓｅｑｕｅｎｃｅ）、カサミシーケンス（Ｋａｓａｍｉ  ｓｅｑｕｅｎｃｅ）などを含む。説明を明確にするために、ｍ−シーケンスを例えて記述する。ｍ−シーケンスは、前記言及した特性外に周期的交差相関（Ｐｅｒｉｏｄｉｃａｕｔｏ−ｃｏｒｒｅｌａｔｉｏｎ）のサイドローべ（ｓｉｄｅ  ｌｏｂｅ）は、−１という追加的な特性をさらに有する。
【００２３】
式１は、ｍ−シーケンスｃｋを生成するための生成多項式（ｇｅｎｅｒａｔｉｎｇ  ｐｏｌｙｎｏｍｉａｌ）の一例である。
【００２４】
【数１】
2010531610.tif 000003
ここで、ＧＦは、ガロアフィールド（Ｇａｌｏｉｓ  Ｆｉｅｌｄ）を表して、ＧＦ（２）は、二進信号を意味する。
【００２５】
前記式１から生成される最大長さは２５−１＝３１である。この場合、生成された状態（ｓｔａｔｅ）に応じて総３１個のシーケンスを生成することができる。これは任意のｍ−シーケンスを前記式により生成した後、循環シフト（ｃｉｒｃｕｌａｒ  ｓｈｉｆｔ）を介して生成することができる最大個数３１個と一致する。これは最大３１個の情報が伝送できることと同じ意味である。これは簡単であるが、３１個を超える情報を伝送することはできない。
【００２６】
他の実施例において、ｍ−シーケンスをｄ（ｎ）と定義すると、可能の総シーケンス集合Ｓ１は、Ｓ１＝｛ｄｍ（ｋ）｜ｍはシーケンスインデックス｝と表現されることができ、ここで、ｍ＝０，１，．．．，Ｎ−１であり、ｋ＝０，１，．．．，Ｎ−１である。Ｎ＝２ｎ−１であり、ｎは最大次数を表す。例えば、生成多項式が式１の場合、ｎ＝５であり、Ｎ＝３１になる。
【００２７】
ここで、新しいシーケンスｇｍ（ｋ）は、ｇｍ（ｋ）＝ｄｍ（Ｎ−１−ｋ）、ｍ＝０，１，．．．，Ｎ−１、ｋ＝０，１，．．．，Ｎ−１のように定義する。シーケンス集合Ｓ２をＳ２＝｛ｇｍ（ｋ）｜ｍはシーケンスインデックス｝のように定義する。シーケンス集合Ｓ３をＳ３＝｛Ｓ１，Ｓ２｝のように定義する。ｍ−シーケンスの特徴がＳ１とＳ２内で維持される。Ｓ１とＳ２との間にはランダムシーケンスの性質が維持される。従って、相関特性の良いシーケンスを、該当するシーケンス集合内で生成して、追加的なメモリやオーバーヘッドの増加無しに可用のシーケンスの数を増加させることができる。
【００２８】
特に、ｍ−シーケンスは、次の式２に示されているように、ｎ次数の多項式（ｐｏｌｙｎｏｍｉａｌ）により生成される。
【００２９】
【数２】
2010531610.tif 000004
ここで、ｋ＝０，１，．．．，ｎ−１であり、ａｋ＝０または１である。
【００３０】
前記新しいシーケンスｇｍ（ｋ）の定義を用いて、ｍ−シーケンスは、次の式により生成されるもののうち一つに変換される。
【００３１】
【数３】
2010531610.tif 000005
ここで、ｋ＝０，１，．．．，ｎ−１であり、ａｋ＝０または１である。即ち、式２により生成されるシーケンスと比較して生成式の係数が逆になる。これは式２により生成されるシーケンスの順序が逆になることと同じである。これを逆関係（ｒｅｖｅｒｓｅ  ｒｅｌａｔｉｏｎｓｈｉｏｐ）が成立するとする。逆関係は、多項式の次数を逆にしても（ここでは多項式の次数をｎ−ｋに変更）成立する。ｍ−シーケンスを使用する時、逆関係が成立するように多項式を選択することができる。
【００３２】
例えば、ｎ＝５の場合、生成できるｍ−シーケンス多項式は、次の式の通りである。
【００３３】
【数４】
2010531610.tif 000006
このとき、（１）と（２）、（３）と（４）、（５）と（６）は、各々前記式２と３の逆関係を満たすペア（ｐａｉｒ）関係が成立する。逆関係が成立するようにｍ−シーケンスを選択することができる。
【００３４】
相当長いシーケンスを使用する場合、シーケンスの開始オフセットを異に設定して複数個に切って使用することができる。この場合、各切って使ったシーケンスを逆にして（ｒｅｖｅｒｓｅ）使用することができる。
【００３５】
または、相当／非常に長いシーケンスを使用する場合、長いシーケンスを逆にし（ｒｅｖｅｒｓｅ）、シーケンスの開始オフセットを異に設定して複数個に切って使用することができる。
【００３６】
前述したシーケンスは、複数チャネルに使われることができる。可用の（ａｖａｉｌａｂｌｅ）シーケンスの数が多いため、端末の容量（ｃａｐａｃｉｔｙ）を増加させることができる。
【００３７】
一実施例において、同期信号（ｓｙｎｃｈｒｏｎｉｚａｔｉｏｎ  ｓｉｇｎａｌ）に使われることができる。ＰＳＳ（Ｐｒｉｍａｒｙ  ｓｙｎｃｈｒｏｎｉｚａｔｉｏｎ  ｓｉｇｎａｌ）のためのＰＳＣ（Ｐｒｉｍａｒｙ  ｓｙｎｃｈｒｏｎｉｚａｔｉｏｎ  ｃｏｄｅ）や、ＳＳＳ（Ｓｅｃｏｎｄａｒｙ  ｓｙｎｃｈｒｏｎｉｚａｔｉｏｎ  ｓｉｇｎａｌ）のためのＳＳＣ（Ｓｅｃｏｎｄａｒｙ  Ｓｙｎｃｈｒｏｎｉｚａｔｉｏｎ  Ｃｏｄｅ）に使われることができる。また、後述するスクランブリングコードに使われることができる。このとき、ＳＳＣとスクランブリングコードとは逆関係が成立するようにシーケンスを選択することができる。
【００３８】
他の実施例において、ランダムアクセスプリアンブル（ｒａｎｄｏｍ  ａｃｃｅｓｓ  ｐｒｅａｍｂｌｅ）に使われることができる。ランダムアクセスプリアンブルは、アップリンク無線資源の要請に使われる。一つのシーケンスインデックスは、一つの機会（ｏｐｐｏｒｔｕｎｉｔｙ）に該当する。端末は、Ｎ個のシーケンス集合のうち一つを任意に選択して基地局に自分の存在を知らせる、或いはスケジューリング要請（ｓｃｈｅｄｕｌｉｎｇ  ｒｅｑｕｅｓｔ）または帯域幅要請（ｂａｎｄｗｉｄｔｈ  ｒｅｑｕｅｓｔ）などの動作を遂行する。ランダムアクセス過程は、競合基盤（ｃｏｎｔｅｎｔｉｏｎ  ｂａｓｅｄ）過程である。従って、端末間衝突が発生することができる。ランダムアクセス過程で端末間衝突を減らすためにはシーケンス集合の種類が多いのが有利である。例えば、前記式１を用いてランダムアクセスプリアンブルを構成すれば、３１個の機会が存在する。シーケンスＳ３の定義を用いてランダムアクセスプリアンブルを構成すれば、２個の機会が存在する。
【００３９】
また、他の実施例において、前述したシーケンスは、ＣＱＩ（Ｃｈａｎｎｅｌ  Ｑｕａｌｉｔｙ  Ｉｎｄｉｃａｔｏｒ）やＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号の伝送に使われることができる。もし、式１のシーケンスを使用すれば、総３１個の（＞４ビット）のＣＱＩまたはＡＣＫ／ＮＡＣＫ信号を伝送することができる。シーケンスＳ３を使用すれば、総６２個の（＞５ビット）のＣＱＩまたはＡＣＫ／ＮＡＣＫ信号を伝送することができる。
【００４０】
また、他の実施例において、前述したシーケンスは、基準信号（ｒｅｆｅｒｅｎｃｅ  ｓｉｇｎａｌ）の基本シーケンス（ｂａｓｅ  ｓｅｑｕｅｎｃｅ）に使われることができる。基準信号には、データ復調のための基準信号とアップリンクスケジューリングのためのチャネルサウンディング用基準信号とがある。基準信号は、セル計画（ｃｅｌｌ  ｐｌａｎｎｉｎｇ）観点や配置（ｃｏｏｒｄｉｎａｔｉｏｎ）観点で可用のシーケンス個数が多いのが有利である。例えば、ダウンリンク基準信号として総１７０個のシーケンス数が必要であると仮定すると、１．２５ＭＨｚ帯域幅を基準とする時、基準信号が占めることができる総副搬送波の数は、ＯＦＤＭシンボル長さ５ｍｓ内で１２０である。もし、ｍ−シーケンスでこれを生成しようとする場合、７次多項式を用いれば、総１２７個のシーケンスを生成することができる。前記シーケンスＳ３を使用すれば、総２５２個のシーケンスを生成することができる。アップリンク基準信号が１２副搬送波を含む１資源ブロックに割り当てられるとしたら、ｍ−シーケンスの場合、４次多項式を用いれば、総１５個のシーケンスを生成することができる。前記シーケンスＳ３を使用すれば、総３０個のシーケンスを生成することができる。
【００４１】
ＩＩ．同期信号
以下、同期信号に対して記述する。然しながら、当業者であれば本発明の技術的思想をランダムアクセスプリアンブルや他の制御信号に容易に適用することができる。
【００４２】
図２は、無線フレーム構造の一例を示す。
【００４３】
図２を参照すると、無線フレーム（ｒａｄｉｏ  ｆｒａｍｅ）は、１０個のサブフレーム（ｓｕｂｆｒａｍｅ）で構成され、一つのサブフレームは、２個のスロット（ｓｌｏｔ）を含むことができる。一つのスロットは、時間領域で複数のＯＦＤＭシンボルを含むことができる。一つのスロットは、７ＯＦＤＭシンボルを含むが、ＣＰ（Ｃｙｌｃｉｃ  Ｐｒｅｆｉｘ）構造に従って一つのスロットに含まれるＯＦＤＭシンボルの数は変えられることができる。
【００４４】
無線フレームの構造は、例示に過ぎず、無線フレームに含まれるサブフレームの数及びサブフレームに含まれるスロットの数は多様に変更することができる。
【００４５】
ＰＳＳ（Ｐｒｉｍａｒｙ  ｓｙｎｃｈｒｏｎｉｚａｔｉｏｎ  ｓｉｇｎａｌ）は、０番目のスロットと１０番目のスロットとの最後のＯＦＤＭシンボルの各々で伝送される。２個のＰＳＳは、同じＰＳＣ（Ｐｒｉｍａｒｙ  ｓｙｎｃｈｒｏｎｉｚａｔｉｏｎ  ｃｏｄｅ）を使用する。ＰＳＳは、ＯＦＤＭシンボル同期またはスロット同期を得るために使用する。ＰＳＣは、ＺＣ（Ｚａｄｏｆｆ−Ｃｈｕ）シーケンスを使用することができる。無線通信システムに少なくとも一つのＰＳＣがある。
【００４６】
ＰＳＳは、ＰＳＣ（Ｐｒｉｍａｒｙ  ｓｙｎｃｈｒｏｎｉｚａｔｉｏｎ  ｃｏｄｅ）を含む。３個のＰＳＣを使用する場合、基地局は、３個のＰＳＣのうち一つを選択して、０番目のスロットと１０番目のスロットとの最後のＯＦＤＭシンボルでＰＳＳとして伝送する。
【００４７】
ＳＳＳ（Ｓｅｃｏｎｄａｒｙ  Ｓｙｎｃｈｒｏｎｉｚａｔｉｏｎ  Ｃｈａｎｎｅｌ）は、ＰＳＳに対するＯＦＤＭシンボルの直前に位置したＯＦＤＭシンボルで伝送される。これはＳＳＳとＰＳＳとは、隣接する（ｃｏｎｔｉｇｕｏｕｓ）ＯＦＤＭシンボルで伝送されることを意味する。ＳＳＳは、フレーム同期を得て、セル識別子グループ（ｃｅｌｌｉｄｅｎｔｉｔｙ  ｇｒｏｕｐ）と関連する（ａｓｓｏｃｉａｔｅ）。セル識別子（ｃｅｌｌ  ｉｄｅｎｔｉｔｙ）は、ＳＳＳから得られる固有のセル識別子グループとＰＳＳから得られる固有の識別子とによって固有に定義されることができる。端末は、ＰＳＳとＳＳＳとを用いてセル識別子を獲得することができる。
【００４８】
一つのＳＳＳは、２個のＳＳＣ（Ｓｅｃｏｎｄａｒｙ  Ｓｙｎｃｈｒｏｎｉｚａｔｉｏｎ  Ｃｏｄｅ）を含む。一つのＳＳＣは、ＰＮシーケンス、即ち、ｍ−シーケンスを使用することができる。例えば、一つのＳＳＳが６４副搬送波を含むとする時、長さ３１である２個のＰＮシーケンスが一つのＳＳＳに各々マッピングされる。
【００４９】
図２において、スロット上でＰＳＳとＳＳＳとが配置されるＯＦＤＭシンボルの数や位置は例示に過ぎず、システムに応じて多様に変更することができる。
【００５０】
図３は、２個のＳＳＣをＳＳＳに物理的にマッピングする一例を示す。
【００５１】
図３を参照すると、ＳＳＳに含まれる副搬送波の数をＮとする時、第１のＳＳＣ（ＳＳＣ１）の長さと第２のＳＳＣ（ＳＳＣ２）の長さとはＮ／２である。論理的表現は使われるＳＳＣを表して、物理的表現はＳＳＣがＳＳＳを介して伝送される時、ＳＳＣがマッピングされる副搬送波を表す。Ｓ１（ｎ）は、第１のＳＳＣ（ＳＳＣ１）のｎ番目の要素（ｅｌｅｍｅｎｔ）であり、Ｓ２（ｎ）は、第２のＳＳＣ（ＳＳＣ２）のｎ番目の要素を表す。第１のＳＳＣ（ＳＳＣ１）と第２のＳＳＣ（ＳＳＣ２）とは、交互に、くし状（ｃｏｍｂ−ｔｙｐｅ  ｃｏｎｆｉｇｕｒａｔｉｏｎ）に物理的な副搬送波にマッピングされる。このような方式を分散的なマッピング（ｄｉｓｔｒｉｂｕｔｅｄ  ｍａｐｐｉｎｇ）という。
【００５２】
図４は、２個のＳＳＣをＳＳＳに物理的にマッピングする他の例を示す。
【００５３】
図４を参照すると、ＳＳＳに含まれる副搬送波の数をＮとし、第１のＳＳＣ（ＳＳＣ１）の長さと第２のＳＳＣ（ＳＳＣ２）の長さとはＮ／２である。論理的表現は使われるＳＳＣを表して、物理的表現はＳＳＳに伝送される時、ＳＳＣがマッピングされる副搬送波を表す。Ｓ１（ｎ）は、第１のＳＳＣ（ＳＳＣ１）のｎ番目の個体であり、Ｓ２（ｎ）は、第２のＳＳＣ（ＳＳＣ２）のｎ番目の個体を表す。第１のＳＳＣ（ＳＳＣ１）と第２のＳＳＣ（ＳＳＣ２）とは、局部的に（ｌｏｃａｌｌｙ）密集される物理的な副搬送波にマッピングされる。このような方式を局部的なマッピング（ｌｏｃａｌｉｚｅｄ  ｍａｐｐｉｎｇ）という。
【００５４】
ＳＳＳに含まれる副搬送波の数を６２とし、ＰＮコードの長さを３１とする時、一つのＳＳＣは、総３１個のインデックスを有する。第１のＳＳＣ（ＳＳＣ１）の可能なインデックスを０〜３０、第２のＳＳＣ（ＳＳＣ２）の可能なインデックスを０〜３０とする時、総３１×３１＝９６１個の情報を伝達することができる。
【００５５】
ＩＩＩ．ＳＳＣのＳＳＳへのマッピング
図５は、２個のＳＳＳに対してＳＳＣを各ＳＳＳにマッピングする例を示す。
【００５６】
図５を参照すると、図２に示した通り、一つの無線フレームで２個のＳＳＳが伝送されるため、０番目のスロットに配置される第１のＳＳＳと１０番目のスロットに配置される第２のＳＳＳの両方とも第１のＳＳＣ（ＳＳＣ１）と第２のＳＳＣ（ＳＳＣ２）を組合せて使用する。このとき、周波数領域で第１のＳＳＣ（ＳＳＣ１）と第２のＳＳＣ（ＳＳＣ２）の位置を交換する（ｓｗａｐ）。即ち、第１のＳＳＳに（ＳＳＣ１，ＳＳＣ２）の組合せを使用すれば、第２のＳＳＳは、第１のＳＳＣ（ＳＳＣ１）と第２のＳＳＣ（ＳＳＣ２）をお互いに交換して（ＳＳＣ２，ＳＳＣ１）の組合せを使用する。
【００５７】
ＳＳＳを検出する時、第１のＳＳＳと第２のＳＳＳとの間隔は予め決められている。従って、各ＣＰ構造に従って多重フレーム平均（ｍｕｌｔｉ−ｆｒａｍｅ  ａｖｅｒａｇｉｎｇ）を遂行することができる。多重フレーム平均は、複数のＳＳＳを複数の無線フレームを介して受信して、各ＳＳＳから得られる値を平均するものである。もし、ＣＰ構造を知っていない場合には各々のＣＰ構造別に多重フレーム平均を遂行する。ＳＳＣを交換する構造は、受信機で多重フレーム平均を遂行してＳＳＳを検出する時有利である。第１のＳＳＳと第２のＳＳＳとが、同じＳＳＣの組合せを使用し、単にＳＳＣの位置だけ変えられるため、平均時、第２のＳＳＳの位置を交換して単純に統合（ｉｎｔｅｇｒａｔｉｏｎ）だけすればよい。特に、交換をしない構造は、ＰＳＳを用いたコヒーレント検出を遂行するとしても、それの平均を遂行する時、非コヒーレント結合（ｎｏｎ−ｃｏｈｅｒｅｎｔ  ｃｏｍｂｉｎｉｎｇ）を遂行しなければならない。然しながら、ＰＳＳを用いたコヒーレント検出（ｃｏｈｅｒｅｎｔ  ｄｅｔｅｃｔｉｏｎ）を遂行する場合、統合時、コヒーレント結合である最適のＭＲＣ（Ｍａｘｉｍａｌ  Ｒａｔｉｏ  Ｃｏｍｂｉｎｉｎｇ）を遂行することができるため、性能向上を期待することができる。ＭＲＣが最適の結合技法というのはよく知られており、一般的に、コヒーレント結合は、非コヒーレント結合に比べて約３ｄＢのＳＮＲ利得（ｇａｉｎ）がある。
【００５８】
第１のＳＳＳと第２のＳＳＳとの間に第１のＳＳＣ（ＳＳＣ１）と第２のＳＳＣ（ＳＳＣ２）とが周波数領域で交換されているが、これは例示にすぎない。第１のＳＳＣ（ＳＳＣ１）と第２のＳＳＣ（ＳＳＣ２）とは、時間領域またはコード領域で交換されることができる。
【００５９】
図６は、２個のＳＳＣをＳＳＳにマッピングする他の例を示す。これはＭ−ＰＳＫ（Ｐｈａｓｅ  Ｓｈｉｆｔ  Ｋｅｙｉｎｇ）変調のうち、Ｍ＝２であるＢＰＳＫ（Ｂｉｎａｒｙ  Ｐｈａｓｅ  Ｓｈｉｆｔ  Ｋｅｙｉｎｇ）変調を適用したのである。ＢＰＳＫ変調は、該当チャネルの全体或いは一部を＋１或いは−１に変調する。Ｍ−ＰＳＫ変調は、使われているシーケンスの検出性能には影響を与えないで追加的な情報を載せることができる方法である。
【００６０】
図６を参照すると、第１のＳＳＳと第２のＳＳＳの両方とも第１のＳＳＣ（ＳＳＣ１）と第２のＳＳＣ（ＳＳＣ２）を組合せて使用して、第１のＳＳＳの全体を＋１に変調し、第２のＳＳＳの第１のＳＳＣ（ＳＳＣ１）は＋１に変調し、第２のＳＳＳの第２のＳＳＣ（ＳＳＣ２）は−１に変調したことを示す。即ち、一つのＳＣＨ内に使われるＳＳＣ間に位相を変えることによって変調することができて、または２個のＳＣＨ間に位相を変えることによって変調することができる。これを差分変調（ｄｉｆｆｅｒｅｎｔｉａｌ  ｍｏｄｕｌａｔｉｏｎ）という。
【００６１】
一般的に変調が遂行されたシーケンスを検出するためには基準信号やＰＳＳのような位相を参照する信号が必要である。即ち、コヒーレント検出が必要である。然しながら、一つのＳＳＳ内でフレーム境界（ｆｒａｍｅ  ｂｏｕｎｄａｒｙ）区分のために差分変調を遂行する場合にはコヒーレント検出と非コヒーレント検出の両方が可能である。
【００６２】
ＩＶ．ＳＳＳのスクランブリング
以下、ＰＳＣと関連する（ａｓｓｏｃｉａｔｅ）スクランブリングコード（ｓｃｒａｍｂｌｉｎｇ  ｃｏｄｅ）を用いたＳＳＳのスクランブリングに対して記述する。
【００６３】
ＳＳＳは、スクランブリングコードを用いてスクランブリングが遂行される。スクランブリングコードは、ＰＳＣと関連する二進シーケンス（ｂｉｎａｒｙ  ｓｅｑｕｅｎｃｅ）であり、ＰＳＣと１：１マッピングされる。即ち、スクランブリングコードはＰＳＣに従属する。
【００６４】
ＳＳＳのスクランブリングは、ＳＳＣ検出にともなう曖昧性（ａｍｂｉｇｕｉｔｙ）を解決するためである。例えば、セルＡのＳＳＳに使われるＳＳＣの組合せを（ＳＳＣ１，ＳＳＣ２）＝（ａ，ｂ）とし、セルＢのＳＳＳに使われるＳＳＣの組合せを（ＳＳＣ１，ＳＳＣ２）＝（ｃ，ｄ）とする時、セルＡに属する端末が（ＳＳＣ１，ＳＳＣ２）＝（ａ，ｄ）という間違ったＳＳＣの組合せを獲得することを曖昧性という。即ち、端末がＰＳＳを検出した後、自分のセルに該当するＳＳＳの区分を容易にするためにスクランブリングコードを使用する。
【００６５】
図７は、本発明の一実施例に係るＳＳＳ構造を示す。
【００６６】
図７を参照すると、第１のＳＳＳと第２のＳＳＳの両方とも第１のＳＳＣ（ＳＳＣ１）と第２のＳＳＣ（ＳＳＣ２）を組合せて使用し、周波数領域で第１のＳＳＣ（ＳＳＣ１）と第２のＳＳＣ（ＳＳＣ２）の位置を交換する（ｓｗａｐ）。即ち、第１のＳＳＳに（ＳＳＣ１，ＳＳＣ２）の組合せを使用すれば、第２のＳＳＳは、第１のＳＳＣ（ＳＳＣ１）と第２のＳＳＣ（ＳＳＣ２）をお互いに交換して（ＳＳＣ２，ＳＳＣ１）の組合せを使用する。
【００６７】
各ＳＳＳのＳＳＣに相異なるスクランブリングコードを使用してスクランブリングを遂行する。第１のＳＳＳの第１のＳＳＣ（ＳＳＣ１）は、第１のスクランブリングコードでスクランブルされる。第１のＳＳＳの第２のＳＳＣ（ＳＳＣ２）は、第２のスクランブリングコードでスクランブルされる。第２のＳＳＳの第２のＳＳＣ（ＳＳＣ２）は、第３のスクランブリングコードでスクランブルされる。第２のＳＳＳの第１のＳＳＣ（ＳＳＣ１）は、第４のスクランブリングコードでスクランブルされる。
【００６８】
各ＳＳＣは、相異なるスクランブリングコードでスクランブルされることによって、干渉平均（ｉｎｔｅｒｆｅｒｅｎｃｅ  ａｖｅｒａｇｉｎｇ）効果を得ることができる。例えば、セルＡの第１のＳＳＳのＳＳＣ組合せを（ＳＳＣ１＿Ａ，ＳＳＣ２＿Ａ）＝（ａ，ｂ）であり、第２のＳＳＳのＳＳＣ組合せを（ＳＳＣ２＿Ａ，ＳＳＣ１＿Ａ）＝（ｂ，ａ）という。セルＢの第１のＳＳＳのＳＳＣ組合せを（ＳＳＣ１＿Ｂ，ＳＳＣ２＿Ｂ）＝（ｃ，ｄ）であり、第２のＳＳＳのＳＳＣ組合せを（ＳＳＣ２＿Ｂ、ＳＳＣ１＿Ｂ）＝（ｄ，ｃ）という。セルＡを現在端末が位置するセル（即ち、検出されるべきセル）とし、セルＢを周辺セル（即ち、干渉として作用するセル）とすれば、ＳＳＣ１＿ＡとＳＳＣ２＿Ａの干渉は、ｃとｄであり、従って、  第１のＳＳＳと第２のＳＳＳに関係なく同一になって干渉平均効果がなくなる。然しながら、各ＳＳＣ毎に相異なるスクランブリングコードを用いてスクランブリングを遂行すれば、相異なるコードの干渉効果により干渉平均効果があるようになる。
【００６９】
従って、同じＳＳＣに対してサブフレーム別に相異なるスクランブリングコードを使用することによって、ＳＳＣ検出にともなう曖昧性を減少させることができる。また、多重フレーム平均を遂行する時、干渉平均効果を得ることができる。
【００７０】
ここで、ＳＳＣ構造は論理的な構造を示す。物理的な副搬送波にマッピングされる時、分散的なマッピングまたは局部的なマッピングを使用することができる。また、スクランブリングが論理的な構造で遂行される前または後の物理的なマッピングを遂行することができる。
【００７１】
図８は、本発明の他の実施例に係るＳＳＳ構造を示す。
【００７２】
図８を参照すると、第１のＳＳＳと第２のＳＳＳの両方とも第１のＳＳＣ（ＳＳＣ１）と第２のＳＳＣ（ＳＳＣ２）を組合せて使用し、周波数領域で第１のＳＳＣ（ＳＳＣ１）と第２のＳＳＣ（ＳＳＣ２）の位置を交換する（ｓｗａｐ）。即ち、第１のＳＳＳに（ＳＳＣ１，ＳＳＣ２）の組合せを使用すれば、第２のＳＳＳは、第１のＳＳＣ（ＳＳＣ１）と第２のＳＳＣ（ＳＳＣ２）をお互いに交換して（ＳＳＣ２，ＳＳＣ１）の組合せを使用する。
【００７３】
一つのＳＳＳに含まれるＳＳＣの個数に該当する２個のスクランブリングコードを用いてスクランブリングを遂行する。第１のＳＳＳの第１のＳＳＣ（ＳＳＣ１）は、第１のスクランブリングコードでスクランブルされる。第１のＳＳＳの第２のＳＳＣ（ＳＳＣ２）は、第２のスクランブリングコードでスクランブルされる。第２のＳＳＳの第２のＳＳＣ（ＳＳＣ２）は、第１のスクランブリングコードでスクランブルされる。第２のＳＳＳの第１のＳＳＣ（ＳＳＣ１）は、第２のスクランブリングコードでスクランブルされる。
【００７４】
実際副搬送波にマッピングされる物理的表現の観点で見る時、２個のＳＳＣは、第１のＳＳＳと第２のＳＳＳに対してその位置を交換させるが、スクランブリングコードの位置は交換させない。論理的表現の観点で見る時、第１のＳＳＳの第１のＳＳＣ（ＳＳＣ１）と第２のＳＳＣ（ＳＳＣ２）に各々適用されるスクランブリングコードは、第２のＳＳＳの第２のＳＳＣ（ＳＳＣ２）と第１のＳＳＣ（ＳＳＣ１）に各々適用されるスクランブリングコードが変えられる効果がある。これは図７の実施例に比べて、必要なスクランブリングコードの数が減る。
【００７５】
図９は、本発明の他の実施例に係るＳＳＳ構造を示す。
【００７６】
図９を参照すると、第１のＳＳＳと第２のＳＳＳは、同じ第１のＳＳＣ（ＳＳＣ１）と第２のＳＳＣ（ＳＳＣ２）の組合せを使用する。即ち、第１のＳＳＳに（ＳＳＣ１，ＳＳＣ２）の組合せを使用すれば、第２のＳＳＳも（ＳＳＣ１，ＳＳＣ２）の組合せを使用する。周波数領域で第１のＳＳＣ（ＳＳＣ１）と第２のＳＳＣ（ＳＳＣ２）の位置をお互いに交換しない。周波数領域で第１のＳＳＣ（ＳＳＣ１）と第２のＳＳＣ（ＳＳＣ２）の位置は、第１のＳＳＳと第２のＳＳＳとの間で同一である。
【００７７】
一つのＳＳＳに含まれるＳＳＣの個数に該当する２個のスクランブリングコードを用いてスクランブリングが遂行される。このとき、第１のＳＳＳと第２のＳＳＳに使われるスクランブリングコードの位置はお互いに交換する。第１のＳＳＳの第１のＳＳＣ（ＳＳＣ１）は、第１のスクランブリングコードを用いる。第１のＳＳＳの第２のＳＳＣ（ＳＳＣ２）は、第２のスクランブリングコードを用いる。第２のＳＳＳの第１のＳＳＣ（ＳＳＣ１）は、第２のスクランブリングコードを用いる。第２のＳＳＳの第２のＳＳＣ（ＳＳＣ２）は、第１のスクランブリングコードを用いる。
【００７８】
図８の実施例とは違って２個のＳＳＣは、第１のＳＳＳと第２のＳＳＳに対してその位置を交換させないが、スクランブリングコードの位置は交換させる。即ち、第１のＳＳＳと第２のＳＳＳに対してＳＳＣまたはスクランブリングコードの位置をお互いに交換させる。
【００７９】
図１０は、本発明の他の実施例に係るＳＳＳ構造を示す。
【００８０】
図１０を参照すると、周波数領域で第１のＳＳＣ（ＳＳＣ１）と第２のＳＳＣ（ＳＳＣ２）の位置は第１のＳＳＳと第２のＳＳＳとの間で同一であるが、第２のＳＳＳの第２のＳＳＣは−ＳＳＣ２である。即ち、第１のＳＳＳは（ＳＳＣ１，ＳＳＣ２）を使用して、第２のＳＳＳは（ＳＳＣ１、−ＳＳＣ２）を使用する。
【００８１】
これはＢＰＳＫ変調の場合であり、より高い次数の変調方式を適用することができる。例えば、ＱＰＳＫ（Ｑｕａｄｒａｔｕｒｅ  ｐｈａｓｅ  ｓｈｉｆｔ  ｋｅｙ）変調を遂行する場合には＋１、−１、＋ｊ、−ｊのような変調を遂行して位相を変わることができる。第１のＳＳＳは（ＳＳＣ１，ＳＳＣ２）を使用して、第２のＳＳＳは（ＳＳＣ１、−ｊＳＳＣ２）を使用することができる。
【００８２】
多重セル環境で第１のＳＳＳ間のＳＳＣ組合せと第２のＳＳＳ間のＳＳＣ組合せとがお互いに同一ならば干渉無作為化（ｉｎｔｅｒｆｅｒｅｎｃｅ  ｒａｎｄｏｍｉｚａｔｉｏｎ）を遂行し難い。従って、第１のＳＳＣ（ＳＳＣ１）と第２のＳＳＣ（−ＳＳＣ２）がお互いに交換されなければ、スクランブリングコードをお互いに交換する。このとき、第２のＳＳＳで第１のＳＳＣ（ＳＳＣ１）と第２のＳＳＣ（−ＳＳＣ２）との差分変調情報は、フレーム境界（ｆｒａｍｅ  ｂｏｕｎｄａｒｙ）情報を表すことができる。従って、３９２（＝１４＊１４＊２）個の信号を検出するためには差分変調を遂行しない場合、３９２回の検出演算が必要であり、反面、差分変調を遂行する場合、１９６（＝１４＊１４）の検出演算を遂行して、差分変調を介して２の情報を検出する。全体検出性能は差分変調よりは１９６回の検出演算に支配されるため、全体的な性能は差分変調を遂行する場合が一層向上されることができる。また、第１のＳＳＳと第２のＳＳＳの両方とも同じ第１のスクランブリングコード（ＳＳＣ１）及び第２のスクランブリングコード（ＳＳＣ２）を使用するため、ＭＲＣ結合を遂行することができる。
【００８３】
ここでは、第２のＳＳＳの第２のＳＳＣ（−ＳＳＣ２）に差分変調を適用しているが、これは例示にすぎない。例えば、第１のＳＳＳは（ＳＳＣ１，ＳＳＣ２）を使用して、第２のＳＳＳは（−ＳＳＣ１，−ＳＳＣ２）を使用することができる。第１のＳＳＳは（ＳＳＣ１，ＳＳＣ２）を使用して、第２のＳＳＳは（−ＳＳＣ１，ＳＳＣ２）を使用することができる。第１のＳＳＳは（−ＳＳＣ１，ＳＳＣ２）を使用して、第２のＳＳＳは（ＳＳＣ１，−ＳＳＣ２）を使用することができる。第１のＳＳＳは（ＳＳＣ１，−ＳＳＣ２）を使用して、第２のＳＳＳは（−ＳＳＣ１，ＳＳＣ２）を使用することができる。第１のＳＳＳは（−ＳＳＣ１，−ＳＳＣ２）を使用して、第２のＳＳＳは（ＳＳＣ１，ＳＳＣ２）を使用することができる。第１のＳＳＳは（ＳＳＣ１，−ＳＳＣ２）を使用して、第２のＳＳＳは（ＳＳＣ１，ＳＳＣ２）を使用することができる。第１のＳＳＳは（−ＳＳＣ１，ＳＳＣ２）を使用して、第２のＳＳＳは（ＳＳＣ１，ＳＳＣ２）を使用することができる。その他、多様な変調組合せに対しても適用が可能である。
【００８４】
図１１は、本発明の他の実施例に係るＳＳＳ構造を示す。
【００８５】
図１１を参照すると、第１のＳＳＳと第２のＳＳＳの両方とも第１のＳＳＣ（ＳＳＣ１）と第２のＳＳＣ（ＳＳＣ２）を組合せて使用し、周波数領域で第１のＳＳＣ（ＳＳＣ１）と第２のＳＳＣ（ＳＳＣ２）の位置を交換する。即ち、第１のＳＳＳに（ＳＳＣ１，ＳＳＣ２）の組合せを使用すれば、第２のＳＳＳは第１のＳＳＣ（ＳＳＣ１）と第２のＳＳＣ（ＳＳＣ２）をお互いに交換して（ＳＳＣ２，ＳＳＣ１）の組合せを使用する。第２のＳＳＳの第１のＳＳＣは差分変調されて−ＳＳＣ１である。即ち、第１のＳＳＳは（ＳＳＣ１，ＳＳＣ２）を使用して、第２のＳＳＳは（ＳＳＣ２，−ＳＳＣ１）を使用する。
【００８６】
Ｖ．複数のＰＳＣを使用する時のスクランブリング
以下、複数のＰＳＣを使用する場合においてスクランブリングコードを構成する例を説明する。説明を明確にするために、３個のＰＳＣを使用するとし、各ＰＳＣに関連するスクランブリングコードをＰｘ−ａ１，Ｐｘ−ａ２、Ｐｘ−ｂ１，Ｐｘ−ｂ２と定義する。‘ｘ’は、ＰＳＣインデックス、‘ａ’は第１のＳＳＳ、‘ｂ’は第２のＳＳＳ、‘１’は第１のＳＳＣ（ＳＳＣ１）、‘２’は第２のＳＳＣ（ＳＳＣ２）を表す。即ち、Ｐ１−ａ１は、第１ＰＳＣと関連して第１のＳＳＳの第１のＳＳＣ（ＳＳＣ１）に使われるスクランブリングコードをいい、Ｐ２−ｂ２は、第２ＰＳＣと関連して第２のＳＳＳの第２のＳＳＣ（ＳＳＣ２）に使われるスクランブリングコードをいい、Ｐ３−ａ１は、第３ＰＳＣと関連して第１のＳＳＳの第１のＳＳＣ（ＳＳＣ１）に使われるスクランブリングコードをいう。ここで、スクランブリングコードがＰＳＣと関連するというのは、スクランブリングコードがＰＳＣに応じて異に生成されることをいう。例えば、ＰＳＣが使われるセルＩＤに応じて循環シフトを異にしてスクランブリングコードを生成することができる。
【００８７】
＜３ＰＳＣに対して６個のスクランブリングコードを使用する場合＞
各ＰＳＣに対して（Ｐｘ−ａ１，Ｐｘ−ａ２）＝（Ｐｘ−ｂ１，Ｐｘ−ｂ２）のようにスクランブリングコードを構成することができる。（Ｐｘ−ａ１，Ｐｘ−ａ２）は、ＰＳＣと各々１：１マッピングされる。即ち、３ＰＳＣに対して６個のスクランブリングコードは、次の通り定義されることができる。
【００８８】
ＰＳＣ１−＞（Ｐ１−ａ１，Ｐ１−ａ２）
ＰＳＣ２−＞（Ｐ２−ａ１，Ｐ２−ａ２）
ＰＳＣ３−＞（Ｐ３−ａ１，Ｐ３−ａ２）
図１２は、ＰＳＣ１に対するＳＳＳ構造を示す。図１３は、ＰＳＣ２に対するＳＳＳ構造を示す。図１４は、ＰＳＣ３に対するＳＳＳ構造を示す。
【００８９】
図１２ないし図１４を参照すると、各ＰＳＣに対して第１のＳＳＳと第２のＳＳＳの両方とも第１のＳＳＣ（ＳＳＣ１）と第２のＳＳＣ（ＳＳＣ２）を組合せて使用し、周波数領域で第１のＳＳＣ（ＳＳＣ１）と第２のＳＳＣ（ＳＳＣ２）の位置を交換する。即ち、第１のＳＳＳに（ＳＳＣ１，ＳＳＣ２）の組合せを使用すれば、第２のＳＳＳは第１のＳＳＣ（ＳＳＣ１）と第２のＳＳＣ（ＳＳＣ２）をお互いに交換して（ＳＳＣ２，ＳＳＣ１）の組合せを使用する。
【００９０】
一つのＳＳＳに含まれるＳＳＣの個数に該当する２個のスクランブリングコードを用いてスクランブリングを遂行する。
【００９１】
図１２のＰＳＣ１において、第１のＳＳＳの第１のＳＳＣ（ＳＳＣ１）はスクランブリングコードＰ１−ａ１を用いて、第１のＳＳＳの第２のＳＳＣ（ＳＳＣ２）はスクランブリングコードＰ１−ａ２を用いて、第２のＳＳＳの第２のＳＳＣ（ＳＳＣ２）はスクランブリングコードＰ１−ａ１を用いて、第２のＳＳＳの第１のＳＳＣ（ＳＳＣ１）はスクランブリングコードＰ１−ａ２を用いる。
【００９２】
図１３のＰＳＣ２において、第１のＳＳＳの第１のＳＳＣ（ＳＳＣ１）はスクランブリングコードＰ２−ａ１を用いて、第１のＳＳＳの第２のＳＳＣ（ＳＳＣ２）はスクランブリングコードＰ２−ａ２を用いて、第２のＳＳＳの第２のＳＳＣ（ＳＳＣ２）はスクランブリングコードＰ２−ａ１を用いて、第２のＳＳＳの第１のＳＳＣ（ＳＳＣ１）はスクランブリングコードＰ２−ａ２を用いる。
【００９３】
図１４のＰＳＣ３において、第１のＳＳＳの第１のＳＳＣ（ＳＳＣ１）はスクランブリングコードＰ３−ａ１を用いて、第１のＳＳＳの第２のＳＳＣ（ＳＳＣ２）はスクランブリングコードＰ３−ａ２を用いて、第２のＳＳＳの第２のＳＳＣ（ＳＳＣ２）はスクランブリングコードＰ３−ａ１を用いて、第２のＳＳＳの第１のＳＳＣ（ＳＳＣ１）はスクランブリングコードＰ３−ａ２を用いる。
【００９４】
物理的なチャネルにマッピングの際、２個のＳＳＣは、第１のＳＳＳと第２のＳＳＳに対してその位置を交換させるが、スクランブリングコードの位置は交換させない。
【００９５】
この方法は、３個のＰＳＳと関連するスクランブリングコードが第１のＳＳＣ（ＳＳＣ１）と第２のＳＳＣ（ＳＳＣ２）に対して全て異なる場合である。これは曖昧性減少だけでなく、干渉無作為化（ｉｎｔｅｒｆｅｒｅｎｃｅ  ｒａｎｄｏｍｉｚａｔｉｏｎ）効果までもたらすことができる。例えば、セルＡの第１のＳＳＳのＳＳＣ組合せを
【００９６】
【化１】
2010531610.tif 000007
【００９７】
【化２】
2010531610.tif 000008
実質的に異なるコードが第１のＳＳＳ及び第２のＳＳＳ別に各第１のＳＳＣ（ＳＳＣ１）と第２のＳＳＣ（ＳＳＣ２）に干渉として作用するようになるため、干渉平均効果と多重フレーム平均の利点をそのまま有する。従って、ＳＳＳの検出性能を向上させることができる。
【００９８】
＜３ＰＳＣに対して３個のスクランブリングコードを使用する場合＞
各ＰＳＣに対して（Ｐｘ−ａ１，Ｐｘ−ａ２）＝（Ｐｘ−ｂ１，Ｐｘ−ｂ２）のようにスクランブリングコードを構成することができる。（Ｐｘ−ａ１，Ｐｘ−ａ２）はＰＳＣと各々１：１マッピングされる。また、一つのＰＳＳとマッピングされる２個のスクランブリングコードのうち一つは、他のＰＳＳにマッピングされるスクランブリングコードのうち一つと同一である。例えば、Ｐｘ＿ａ２＝Ｐ［ｍｏｄ（ｘ＋１，３）＋１］＿ａ１の関係を維持する。‘ｍｏｄ’はモジュロ演算を表す。例えば、３ＰＳＣに対して３個のスクランブリングコードは、次の通り定義されることができる。
【００９９】
ＰＳＣ１−＞（Ｐ１−ａ１，Ｐ１−ａ２）
ＰＳＣ２−＞（Ｐ２−ａ１＝Ｐ１−ａ２，Ｐ２−ａ２）
ＰＳＣ３−＞（Ｐ３−ａ１＝Ｐ２−ａ２，Ｐ３−ａ２＝Ｐ１−ａ１）
従って、実質的に必要なスクランブリングコードはＰ１−ａ１，Ｐ１−ａ２，Ｐ２−ａ２の３つである。（Ｐ１−ａ１，Ｐ１−ａ２，Ｐ２−ａ２）＝（ａ１，ａ２，ａ３）とすれば、これは次の通り表すことができる。
【０１００】
ＰＳＣ１−＞（ａ１，ａ２）
ＰＳＣ２−＞（ａ２，ａ３）
ＰＳＣ３−＞（ａ３，ａ１）
各ＰＳＣに対して３個のスクランブリングコードを循環シフト（ｃｙｃｌｉｃ  ｓｈｉｆｔ）させることによって必要なスクランブリングコードの数を縮めることができる。スクランブリングコードの数が減ることに従って基地局または端末のメモリ容量を節約することができる。
【０１０１】
Ｍ個のＰＳＣが使われる場合、次の通り一般化することができる。
【０１０２】
ＰＳＣ１−＞（ａ１，ａ２）
ＰＳＣ２−＞（ａ２，ａ３）
…
ＰＳＣＭ−＞（ａＭ，ａ１）
図１５は、ＰＳＣ１に対するＳＳＳ構造を示す。図１６は、ＰＳＣ２に対するＳＳＳ構造を示す。図１７は、ＰＳＣ３に対するＳＳＳ構造を示す。
【０１０３】
図１５ないし図１７を参照すると、各ＰＳＣに対して第１のＳＳＳと第２のＳＳＳの両方とも第１のＳＳＣ（ＳＳＣ１）と第２のＳＳＣ（ＳＳＣ２）を組合せて使用し、周波数領域で第１のＳＳＣ（ＳＳＣ１）と第２のＳＳＣ（ＳＳＣ２）の位置を交換する。即ち、第１のＳＳＳに（ＳＳＣ１，ＳＳＣ２）の組合せを使用すれば、第２のＳＳＳは第１のＳＳＣ（ＳＳＣ１）と第２のＳＳＣ（ＳＳＣ２）をお互いに交換して（ＳＳＣ２，ＳＳＣ１）の組合せを使用する。
【０１０４】
一つのＳＳＳに含まれるＳＳＣの個数に該当する２個のスクランブリングコードを用いてスクランブリングを遂行する。
【０１０５】
図１５のＰＳＣ１において、第１のＳＳＳの第１のＳＳＣ（ＳＳＣ１）はスクランブリングコードＰ１−ａ１を用いて、第１のＳＳＳの第２のＳＳＣ（ＳＳＣ２）はスクランブリングコードＰ１−ａ２を用いて、第２のＳＳＳの第２のＳＳＣ（ＳＳＣ２）はスクランブリングコードＰ１−ａ１を用いて、第２のＳＳＳの第１のＳＳＣ（ＳＳＣ１）はスクランブリングコードＰ１−ａ２を用いる。
【０１０６】
図１６のＰＳＣ２において、第１のＳＳＳの第１のＳＳＣ（ＳＳＣ１）はスクランブリングコードＰ１−ａ２を用いて、第１のＳＳＳの第２のＳＳＣ（ＳＳＣ２）はスクランブリングコードＰ２−ａ２を用いて、第２のＳＳＳの第２のＳＳＣ（ＳＳＣ２）はスクランブリングコードＰ１−ａ２を用いて、第２のＳＳＳの第１のＳＳＣ（ＳＳＣ１）はスクランブリングコードＰ２−ａ２を用いる。
【０１０７】
図１７のＰＳＣ３において、第１のＳＳＳの第１のＳＳＣ（ＳＳＣ１）はスクランブリングコードＰ２−ａ２を用いて、第１のＳＳＳの第２のＳＳＣ（ＳＳＣ２）はスクランブリングコードＰ１−ａ１を用いて、第２のＳＳＳの第２のＳＳＣ（ＳＳＣ２）はスクランブリングコードＰ２−ａ２を用いて、第２のＳＳＳの第１のＳＳＣ（ＳＳＣ１）はスクランブリングコードＰ１−ａ１を用いる。
【０１０８】
物理的な副搬送波マッピングの観点で見れば、２個のＳＳＣは第１のＳＳＳと第２のＳＳＳに対してその位置を交換させるが、スクランブリングコードの位置は交換させない。
【０１０９】
この方法は、３個のＰＳＳと関連するスクランブリングコードが第１のＳＳＣ（ＳＳＣ１）と第２のＳＳＣ（ＳＳＣ２）に対して全て異なる場合である。これは曖昧性減少だけでなく、干渉無作為化（ｉｎｔｅｒｆｅｒｅｎｃｅ  ｒａｎｄｏｍｉｚａｔｉｏｎ）効果までもたらすことができる。例えば、セルＡの第１のＳＳＳのＳＳＣ組合せを
【０１１０】
【化３】
2010531610.tif 000009
【０１１１】
【化４】
2010531610.tif 000010
実質的に異なるコードが第１のＳＳＳ及び第２のＳＳＳ別に各第１のＳＳＣ（ＳＳＣ１）と第２のＳＳＣ（ＳＳＣ２）に干渉として作用するようになるため、干渉平均効果と多重フレーム平均の利点をそのまま有する。従って、ＳＳＳの検出性能を向上させることができる。
【０１１２】
前記言及した３ＰＳＣに対して６個或いは３個のスクランブリングコードを適用する場合の例は、説明を容易にするためにＳＳＣ交換に対してのみ説明しているが、差分変調を遂行することもでき、ＳＳＣ交換と差分変調を結合した形態で遂行されることができる。例えば、第１のＳＳＳは（ＳＳＣ１，ＳＳＣ２）を使用して、第２のＳＳＳは（ＳＳＣ２，ＳＳＣ１）を使用するだけでなく、第１のＳＳＳは（ＳＳＣ１，ＳＳＣ２）を使用して、第２のＳＳＳは（ＳＳＣ３，ＳＳＣ４）を使用する場合、第１のＳＳＳは（ＳＳＣ１，ＳＳＣ２）を使用して、第２のＳＳＳは（ＳＳＣ１，ＳＳＣ３）を使用する場合、及び第１のＳＳＳは（ＳＳＣ１，ＳＳＣ２）を使用して、第２のＳＳＳは（ＳＳＣ３，ＳＳＣ２）を使用する場合などに対して適用することができる。第１のＳＳＳは（ＳＳＣ１，ＳＳＣ２）を使用して、第２のＳＳＳは（ＳＳＣ１，ＳＳＣ３）を使用する場合にはＳＳＣ１が衝突する。これはスクランブリングコード交換によってＳＳＣの衝突による影響を減ることができる。また、第１のＳＳＳは（ＳＳＣ１，ＳＳＣ２）を使用し、第２のＳＳＳは（ＳＳＣ３，ＳＳＣ２）を使用する時、ＳＳＣ２衝突が発生する場合にも同様に適用される。
【０１１３】
ＶＩ．スクランブリングコード構成方法
スクランブリングコードは、ＰＳＣと関連するいかなるコードも可能であり、本発明の技術的思想はこれに制限されない。
【０１１４】
スクランブリングコードとして、ＳＳＣに使われるＰＮコードを使用することができる。
【０１１５】
ＳＳＳを介して送る情報の数が３４０の場合に対してＳＳＣを構成する方法は、次の通りである。一例として、長さ３１のＰＮコードを第１のＳＳＣ（ＳＳＣ１）と第２のＳＳＣ（ＳＳＣ２）に適用するとすれば、可能なコードインデックスは０〜３０の３１個のである。第１のＳＳＣ（ＳＳＣ１）のインデックスは０〜１３、第２のＳＳＣ（ＳＳＣ２）はインデックス１４〜２７を使用して、第１のＳＳＣ（ＳＳＣ１）と第２のＳＳＣ（ＳＳＣ２）の交換を使用するとすれば、１４×１４×２＝３９２である。従って、２８、２９、３０のインデックスを有するＰＮコードをスクランブリングコードとして使用することができる。他の例として、第２のＳＳＣ（ＳＳＣ２）のインデックスが第１のＳＳＣ（ＳＳＣ１）のインデックスより常に大きくできる。第１のＳＳＣ（ＳＳＣ１）のインデックスを０〜１７、第２のＳＳＣ（ＳＳＣ２）のインデックスを１〜１８までにして、第１のＳＳＣ（ＳＳＣ１）と第２のＳＳＣ（ＳＳＣ２）の交換を使用するとすれば、可能な組合せの数１９Ｃ２×２＝３４２である。従って、残っているインデックス１９〜３０のうち６個を選択すれば、６スクランブリングコードを得ることができる。３個を選択すれば３スクランブリングコードを得ることができる。
【０１１６】
ＳＳＳを介して送る情報の数が６８０の場合を仮定したら、第２のＳＳＣ（ＳＳＣ２）のインデックスが第１のＳＳＣ（ＳＳＣ１）のインデックスより常に大きい場合の組合せの数は、第１のＳＳＣ（ＳＳＣ１）のインデックスは０〜２６、第２のＳＳＣ（ＳＳＣ２）のインデックスは１〜２７までにして、第１のＳＳＣ（ＳＳＣ１）と第２のＳＳＣ（ＳＳＣ２）の交換を使用するとすれば、２７Ｃ２×２＝７０２である。従って、インデックス２８〜３０のうち３個を選択すれば３スクランブリングコードを得ることができる。
【０１１７】
現在使用しているシーケンス集合内でスクランブリングコードを選択する。然しながら、現在使用しているシーケンス集合内でシーケンスを選択した後、それを変形させて使用することができる、例えば、ｍ−シーケンスを使用するならば、逆演算（ｒｅｖｅｒｓｅ  ｏｐｅｒａｔｉｏｎ）、切断（ｔｒｕｎｃａｔｉｏｎ）、循環延長（ｃｙｃｌｉｃ  ｅｘｔｅｎｓｉｏｎ）及び循環シフト（ｃｉｒｃｕｌａｒ  ｓｈｉｆｔ）などを適用してスクランブリングコードとして使用することができる。即ち、式４において、（１）のシーケンスと（２）のシーケンスはお互いに逆関係が成立し、（１）のシーケンスをＳＳＣとして使用して、（２）のシーケンスをスクランブリングコードとして使用することができる。逆関係を有する一対のシーケンスをスクランブリングコードとして選択する場合、ＳＳＣとスクランブリングコードがｍ−シーケンス関係を維持することができ、具現が容易であり、メモリを節約することができる。
【０１１８】
図１８は、２セルで全ての衝突可能な場合に対する交差相関分布のＣＤＦ（ｃｕｍｕｌａｔｉｖｅ  ｄｉｓｔｒｉｂｕｔｉｏｎ  ｆｕｎｃｔｉｏｎ）を示すグラフである。
【０１１９】
図１８を参照すると、提案された技法は、ランダムバイナリコード（ｒａｎｄｏｍ  ｂｉｎａｒｙ  ｃｏｄｅ）と類似の特性を表す。然しながら、ランダムバイナリコードをスクランブリングコードとして使用するためには追加的なコード生成器またはメモリを必要とする。これに反して、提案された技法は、メモリ住所程度だけ再設定するとよいため、追加的なオーバーヘッドが必要でない。
【０１２０】
式１の多項式ｘ５＋ｘ２＋１のｍ−シーケンスをＳＳＣとして使用する場合を仮定したら、端末でＳＳＣを検出するためにはＳＳＣに使われるシーケンスを生成することができるコード生成器或いはメモリで前記シーケンスを直接格納していればよい。式１により生成されたｍ−シーケンスに対して循環シフト（ｃｉｒｃｕｌａｒ  ｓｈｉｆｔ）を適用すれば、全ての３１個のシーケンスを得ることができる。コード生成器により毎ＳＳＣ検出コードを生成することより一つのｍ−シーケンスをメモリに格納してメモリ住所だけ指定して使用すれば、長さ３１のｍ−シーケンス一個だけ格納していればよい。もし、シーケンスを逆にして使用するようになれば、メモリ住所を表す順序だけ変えて使用すればよい。
【０１２１】
例えば、式１を用いて生成されるｍ−シーケンスａ＝｛１，１，−１，１，−１，−１，１，１，−１，−１，−１，−１，−１，１，１，１，−１，−１，１，−１，−１，−１，１，−１，１，−１，１，１，１，１，−１｝を仮定する。これは−ａとも同等である（ｅｑｕｉｖａｌｅｎｔ）。残りの３０個のシーケンスは、シーケンスａに対する３０の循環シフトにより生成が可能であるため、前記シーケンスａに該当するメモリだけ必要である。また、逆関係を有するシーケンスを適用するためには前記シーケンスａに対するメモリまたは前記シーケンスａを生成するためのコード生成器の動作１回で充分である。
【０１２２】
然しながら、シーケンスを逆にせずｍ−シーケンスでない他の種類のシーケンス（例えば、ランダムシーケンス（ｒａｎｄｏｍ  ｓｅｑｕｅｎｃｅ）、コンピュータ探索シーケンス（ｃｏｍｐｕｔｅｒ  ｓｅａｒｃｈ  ｓｅｑｕｅｎｃｅ）を使用すれば、３個のＰＳＣと関連する６個のスクランブリングコードに対するメモリが追加的に必要である。即ち、逆関係のシーケンスを使用する場合、長さ３１のシーケンス一つだけメモリに格納すれば充分であるが、相異なるシーケンスを使用する場合、長さ３１のシーケンス６個に対するメモリが追加的に必要である。
【０１２３】
スクランブリングコードを選択することにおいて、前記式６及び式７の関係を満たす多項式を選択して（または多項式を逆にしてｎ−ｋ順序に変える動作を遂行した後）ｍ−シーケンスを生成することも優秀な特性を有することができる。式１のｘ５＋ｘ２＋１により生成されたｍ−シーケンスを逆にすれば、ｘ５＋ｘ３＋１により生成されるｍ−シーケンスのうち一つに変換される（これをペア関係にあるという）。例えば、ｘ５＋ｘ２＋１により生成され、０回循環シフトされるシーケンスを逆にすれば、ｘ５＋ｘ３＋１により生成され、２６回循環シフトされるシーケンスと同一である。逆関係を有する一対のシーケンスをスクランブリングコードとして選択する場合、端末に具現の容易さを提供してメモリを節約することができる。
【０１２４】
ＶＩＩ．ＳＳＣ１−ｂａｓｅｄ  ｓｃｒａｍｂｌｉｎｇ  ｏｆ  ＳＳＣ２
以下、ＳＳＣ１で使われるシーケンスインデックスに従って、ＳＳＣ２に使われるスクランブリングシーケンスを決定することに対する応用に対して説明する。（ｒｅｖｅｒｓｅ−ｍの応用）
周辺セル（Ｎｅｉｇｈｂｏｒ  ｃｅｌｌ）探索時、追加的な曖昧性問題を解決するために、ＳＳＳに二つのコード組合せ（例、（ＳＳＣ１，ＳＳＣ２））を使用する場合、ＳＳＣ１に使われるシーケンスインデックスと一対一相応するスクランブリングシーケンスを選択して適用する方法がある。この場合、前記言及したｘ５＋ｘ２＋１の多項式を使用する長さ３１のｍ−シーケンスを例に挙げると（３１個のシーケンスインデックスが可能）、該当ｍ−シーケンスのインデックスに該当するシーケンスを逆にして（ｒｅｖｅｒｓｅ）使用することができる。例えば、ＳＳＣ１のインデックスが０ならば、該当シーケンスを逆にしてＳＳＣ２に対するスクランブリングコードとして適用することができる。或いはＳＳＣ１基盤のＳＳＣ２スクランブルが使われる時、ＳＳＣ１で使われるシーケンスのうち全体或いは一部だけを逆にしてスクランブリングコードとして使用することができる。要約すれば、ＳＳＣ１で使われるシーケンスを逆にしてＳＳＣ２のスクランブリングコードとして使用するということである。これはスクランブリングコードの個数、一対一マッピング関係などに限定されない。また、逆関係にある多項式（ｐｏｌｙｎｏｍｉａｌ）が選択されることができる。
【０１２５】
以下、前記内容が［ＰＳＣ−ｂａｓｅｄ  ｓｃｒａｍｂｌｉｎｇ＋ＳＳＣ１−ｂａｓｅｄ  ｓｃｒａｍｂｌｉｎｇ］に適用される場合に対して説明する。
【０１２６】
逆関係のＭがＳＳＣ１基盤スクランブリングに適用される場合であるため、便宜上、ＰＳＣ基盤シーケンスは、長さ６３のｍ−シーケンスを使用して、必要ならば、ｓｅｑｕｅｎｃｅを穿孔する（ｐｕｎｃｔｕｒｉｎｇ）、或いは異なる多項式の２つの異なる種類ｍ−シーケンスを使用することができる。スクランブルされたＳＳＣは、
【０１２７】
【化５】
2010531610.tif 000011
のように表すことができる。このとき、ＰはＰＳＣ基盤スクランブリングコードを意味する。また、Ｐは、スクランブルがＳＳＣ全体に対して遂行されたとしても、ＳＳＣの各パートで個別的に遂行されても変えられない。
【０１２８】
ここで、ＳＳＣ１基盤スクランブリングをＳＳＣ２に適用すれば、次の式の通りに表すことができる。
【０１２９】
【化６】
2010531610.tif 000012
ここで、ＳＣＲ１はＳＳ１基盤スクランブリングコードを意味して、ｒｅｖ（．）は逆演算を表すものであって、本発明ではｒｅｖｅｒｓｅ−ｍを意味する。もちろん、本明細書で説明したように、逆関係にある多項式（ここではｘ５＋ｘ３＋１）を選択して使用するものと等価である。
【０１３０】
本例ではｓｉを直接逆にしてｓｊにスクランブリングする。然しながら、これに制限することではなく、逆関係にある多項式や逆関係のシーケンスをスクランブリングコードとして定義して使用することも可能である。
【０１３１】
ＳＳＣ２にＳＳＣ１基盤スクランブリングを適用する時、前記説明したＰＳＣ基盤スクランブリング＋ＳＳＣ１基盤スクランブリングのように混合された形態に適用することが可能である。
【０１３２】
ここで、本発明に該当するｒｅｖｅｒｓｅ−ｍは、前記説明した通り、ＰＳＣ基盤スクランブリングに単独に、ＳＳＣ１基盤スクランブリングに単独に、或いは二つのうち一つに、或いは二つともへの応用が可能である。
【０１３３】
ＶＩＩＩ．セル探索
セル探索は、端末がセルとの時間及び周波数同期化を獲得して、セルのセル識別子を獲得する過程である。一般的にセル探索は、端末の電源が付けた後、初期に遂行する初期セル探索（ｉｎｉｔｉａｌ  ｃｅｌｌ  ｓｅａｒｃｈ）と、ハンドオーバーや周辺セル測定（ｎｅｉｇｈｂｏｒ  ｃｅｌｌ  ｍｅａｓｕｒｅｍｅｎｔ）を遂行する非初期セル探索（ｎｏｎ−ｉｎｉｔｉａｌ  ｃｅｌｌ  ｓｅａｒｃｈ）と、に区分される。
【０１３４】
セル探索は、ＰＳＳとＳＳＳを使用する。ＰＳＳは、端末がスロット同期化（または周波数同期化）及び固有識別子を獲得するときに使われる。ＳＳＳは、端末がフレーム同期化及びセル識別子グループ（ｃｅｌｌ  ｉｄｅｎｔｉｔｙ  ｇｒｏｕｐ）を獲得するときに使われる。
【０１３５】
図１９は、本発明の一実施例に係るセル探索方法を示すフローチャートである。
【０１３６】
図１９を参照すると、端末はＰＳＳを探索する（Ｓ３１０）。ＰＳＳを介してスロット同期化を獲得する。また、ＰＳＳを介して周波数同期化を獲得することができる。ＰＳＳ内のＰＳＣは固有識別子と関連する。３個の固有識別子がある時、３個のＰＳＣの各々は各固有識別子に一対一にマッピングされる。
【０１３７】
次いで、端末はＳＳＳを探索する（Ｓ３２０）。ＳＳＳを介してフレーム同期化を獲得する。ＳＳＳはセル識別子グループにマッピングされる。ＳＳＳとＰＳＳを用いてセル識別子が獲得される。例えば、５０４個の固有なセル識別子があり、セル識別子は１６８ずつ固有なセル識別子グループにグループ化され、各セル識別子グループは固有な識別子を有すると仮定したら、３個のＰＳＳは各々３個の固有なセル識別子グループにマッピングされる。従って、セル識別子Ｉｃｅｌｌは、０から１６７までの範囲を有してセル識別子グループを表す番号Ｉｇｒと、０から２までの範囲を有してセル識別子グループ内で固有な識別子を表す番号Ｉｕと、によって、Ｉｃｅｌｌ＝３Ｉｇｒ＋Ｉｕのように、固有に定義される。
【０１３８】
ＳＳＳは２個のＳＳＣを含み、各ＳＳＣは相異なるスクランブリングコードによりスクランブリングされたものである。スクランブリングコードは前記ＰＳＳに含まれるＰＳＣと関連する。従って、周辺セルの干渉を減らしてＳＳＳ検出性能を向上させ、一層速いセル探索が可能である。
【０１３９】
ＳＳＳの検出性能は、相異なるスクランブリングコードを用いてＳＳＳ内の２個のＳＳＣをスクランブリングすることによって向上されることができる。セル探索が一層信頼できるように遂行され、遅延されるのが防止される。追加的に、可用のシーケンスの個数の増加により同期信号に伝えられる情報の量及び端末の容量が増加することができる。
【０１４０】
前記では同期信号に対して記述しているが、本発明の技術的思想は、チャネルの検出性能を向上するために情報を伝達する他の信号にも適用されることができる。これはアップリンク／ダウンリンク基準信号、ＡＣＫ／ＮＡＣＫ信号、ランダムアクセスプリアンブル等に適用されることができる。
【０１４１】
前述した全ての機能は、前記機能を遂行するようにコーディングされたソフトウェアやプログラムコードなどにともなうマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより遂行されることができる。前記コードの設計、開発及び具現は、本発明の説明に基づいて当業者に自明である。
【０１４２】
以上、本発明に対して実施例を参照して説明したが、該当技術分野の通常の知識を有する者は本発明の技術的思想及び領域から外れない範囲内で本発明を多様に修正及び変更させて実施できることを理解することができる。従って、前述した実施例に限定することではなく、本発明は、特許請求の範囲内の全ての実施例を含む。
【符号の説明】
【０１４３】
１０  端末
２０  基地局
【図１】
2010531610.tif 000013
【図２】
2010531610.tif 000014
【図３】
2010531610.tif 000015
【図４】
2010531610.tif 000016
【図５】
2010531610.tif 000017
【図６】
2010531610.tif 000018
【図７】
2010531610.tif 000019
【図８】
2010531610.tif 000020
【図９】
2010531610.tif 000021
【図１０】
2010531610.tif 000022
【図１１】
2010531610.tif 000023
【図１２】
2010531610.tif 000024
【図１３】
2010531610.tif 000025
【図１４】
2010531610.tif 000026
【図１５】
2010531610.tif 000027
【図１６】
2010531610.tif 000028
【図１７】
2010531610.tif 000029
【図１８】
2010531610.tif 000030
【図１９】
2010531610.tif 000031
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
端末によって遂行される無線通信システムにおけるセル探索を遂行する方法において、
ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を探索して、及び
前記ＰＳＳを探索した後、２個のＳＳＣ（Ｓｅｃｏｎｄａｒｙ  Ｓｙｎｃｈｒｏｎｉｚａｔｉｏｎ  Ｃｏｄｅ）を含むＳＳＳ（ｓｅｃｏｎｄａｒｙ  ｓｙｎｃｈｒｏｎｉｚａｔｉｏｎ  ｓｉｇｎａｌ）を探索することを含み、
前記２個のＳＳＣは、２個の相異なるスクランブリングコードを介して各々スクランブルされ、前記２個のスクランブリングコードは、生成多項式ｘ５＋ｘ３＋１により生成されるｍ−シーケンスで定義され、前記２個のＳＳＣは、生成多項式ｘ５＋ｘ２＋１により生成されるｍ−シーケンスで定義される方法。
【請求項２】
前記ＳＳＳは、第１のＳＳＳと第２のＳＳＳとを含み、前記第１のＳＳＳに使われる２個のスクランブリングコードは、前記第２のＳＳＳに使われる２個のスクランブリングコードと同じである請求項１に記載の方法。
【請求項３】
前記第１のＳＳＳの第１のＳＳＣは、第１のスクランブリングコードでスクランブルされ、前記第１のＳＳＳの第２のＳＳＣは、第２のスクランブリングコードでスクランブルされ、前記第２のＳＳＳの第１のＳＳＣは、前記第２のスクランブリングコードでスクランブルされ、前記第２のＳＳＳの第２のＳＳＣは、前記第１のスクランブリングコードでスクランブルされる請求項２に記載の方法。
【請求項４】
前記生成多項式ｘ５＋ｘ２＋１と前記生成多項式ｘ５＋ｘ３＋１とは、お互いに逆関係（ｒｅｖｅｒｓｅ  ｒｅｌａｔｉｏｎｓｈｉｐ）を有する請求項１に記載の方法。
【請求項５】
ＳＳＣは、スクランブリングコードと同じ長さを有する請求項１に記載の方法。
【請求項６】
前記２個のＳＳＣは、相異なる循環シフトを用いて生成される請求項１に記載の方法。
【請求項７】
前記２個のスクランブリングコードは、相異なる循環シフトを用いて生成される請求項１に記載の方法。
【請求項８】
前記２個のスクランブリングコードは、前記ＰＳＣと関連する請求項１に記載の方法。
【請求項９】
前記ＰＳＳと前記ＳＳＳとは、連続的なＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを介して受信される請求項１に記載の方法。
【請求項１０】
前記２個のＳＳＣは、交互に（ｉｎｔｅｒｌｅａｖｅｄ）副搬送波にマッピングされる請求項１に記載の方法。
【請求項１１】
基地局によって遂行される無線通信システムにおける同期信号を伝送する方法において、
ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を伝送して、及び
第１のＳＳＣ（Ｓｅｃｏｎｄａｒｙ  Ｓｙｎｃｈｒｏｎｉｚａｔｉｏｎ  Ｃｏｄｅ）と第２のＳＳＣとを含む第１のＳＳＳ（ｓｅｃｏｎｄａｒｙ  ｓｙｎｃｈｒｏｎｉｚａｔｉｏｎ  ｓｉｇｎａｌ）を伝送することを含み、
前記第１のＳＳＣは、第１のスクランブリングコードを用いてスクランブルされ、前記第２のＳＳＣは、第２のスクランブリングコードを用いてスクランブルされ、
前記第１のＳＳＣと前記第２のＳＳＣとは、生成多項式ｘ５＋ｘ２＋１により生成されるｍ−シーケンスで定義され、前記第１のスクランブリングコードと前記第２のスクランブリングコードとは、生成多項式ｘ５＋ｘ３＋１により生成されるｍ−シーケンスで定義される方法
【請求項１２】
前記第１のＳＳＣと前記第２のＳＳＣとは、相異なる循環シフトを用いて生成される請求項１１に記載の方法。
【請求項１３】
前記第１のスクランブリングコードと前記第２のスクランブリングコードとは、相異なる循環シフトを用いて生成される請求項１１に記載の方法。
【請求項１４】
前記第１のＳＳＣと前記第２のＳＳＣとを含む第２のＳＳＳを伝送することをさらに含み、前記第２のＳＳＳの第１のＳＳＣは、前記第２スクランブリングコードを用いてスクランブルされ、前記第２のＳＳＳの第２のＳＳＣは、前記第１のスクランブリングコードを用いてスクランブルされる請求項１１に記載の方法。
【請求項１５】
無線通信システムにおけるセル探索を遂行する端末において、
ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を探索して、及び
前記ＰＳＳを探索した後、２個のＳＳＣ（Ｓｅｃｏｎｄａｒｙ  Ｓｙｎｃｈｒｏｎｉｚａｔｉｏｎ  Ｃｏｄｅ）を含むＳＳＳ（ｓｅｃｏｎｄａｒｙ  ｓｙｎｃｈｒｏｎｉｚａｔｉｏｎ  ｓｉｇｎａｌ）を探索することを含み、
前記２個のＳＳＣは、２個の相異なるスクランブリングコードを介して各々スクランブルされ、前記２個のスクランブリングコードは、生成多項式ｘ５＋ｘ３＋１により生成されるｍ−シーケンスで定義され、前記２個のＳＳＣは、生成多項式ｘ５＋ｘ２＋１により生成されるｍ−シーケンスで定義される端末。
【手続補正２】
【補正対象書類名】明細書
【補正対象項目名】００１５
【補正方法】変更
【補正の内容】
【００１５】
また、他の態様において、無線通信システムにおける同期信号を獲得する方法が提供される。前記方法は、基地局から伝送されるＰＳＳによりＰＳＣを確認して、及び前記基地局から伝送されるＳＳＳにより２個のＳＳＣを確認することを含み、前記２個のＳＳＣは、２個の相異なるスクランブリングコードを介して各々スクランブルされ、前記２個のＳＳＣは、生成多項式ｘ５＋ｘ２＋１により生成されるｍ−シーケンスで定義され、前記２個のスクランブリングコードは、生成多項式ｘ５＋ｘ３＋１により生成されるｍ−シーケンスで定義される。
例えば、本発明は以下の項目を提供する。
（項目１）
無線通信システムにおけるセル探索を遂行する方法において、
ＰＳＣ（ｐｒｉｍａｒｙ  ｓｙｎｃｈｒｏｎｉｚａｔｉｏｎ  ｃｏｄｅ）を含むＰＳＳ（ｐｒｉｍａｒｙ  ｓｙｎｃｈｒｏｎｉｚａｔｉｏｎ  ｓｉｇｎａｌ）を受信して、
上記ＰＳＳから固有識別子を獲得して、
セル識別子グループと関連するＳＳＳ（ｓｅｃｏｎｄａｒｙ  ｓｙｎｃｈｒｏｎｉｚａｔｉｏｎ  ｓｉｇｎａｌ）を受信し、上記ＳＳＳは、２個のＳＳＣ（Ｓｅｃｏｎｄａｒｙ  Ｓｙｎｃｈｒｏｎｉｚａｔｉｏｎ  Ｃｏｄｅ）を含み、及び
上記セル識別子グループ内で上記固有識別子により定義されるセル識別子を獲得することを含み、
上記２個のＳＳＣは、２個の相異なるスクランブリングコードを介して各々スクランブルされ、上記２個のＳＳＣは、生成多項式ｘ５＋ｘ２＋１により生成されるｍ−シーケンスで定義され、上記２個のスクランブリングコードは、生成多項式ｘ５＋ｘ３＋１により生成されるｍ−シーケンスで定義される方法。
（項目２）
上記ＳＳＳは、第１のＳＳＳと第２のＳＳＳとを含み、上記第１のＳＳＳに使われる２個のスクランブリングコードは、上記第２のＳＳＳに使われる２個のスクランブリングコードと同じである項目１に記載の方法。
（項目３）
上記第１のＳＳＳの第１のＳＳＣは、第１のスクランブリングコードでスクランブルされ、上記第１のＳＳＳの第２のＳＳＣは、第２のスクランブリングコードでスクランブルされ、上記第２のＳＳＳの第１のＳＳＣは、上記第２のスクランブリングコードでスクランブルされ、上記第２のＳＳＳの第２のＳＳＣは、上記第１のスクランブリングコードでスクランブルされる項目２に記載の方法。
（項目４）
上記生成多項式ｘ５＋ｘ２＋１と上記生成多項式ｘ５＋ｘ３＋１とは、お互いに逆関係（ｒｅｖｅｒｓｅ  ｒｅｌａｔｉｏｎｓｈｉｐ）を有する項目１に記載の方法。
（項目５）
ＳＳＣは、スクランブリングコードと同じ長さを有する項目１に記載の方法。
（項目６）
上記２個のＳＳＣは、相異なる循環シフトを用いて生成される項目１に記載の方法。
（項目７）
上記２個のスクランブリングコードは、相異なる循環シフトを用いて生成される項目１に記載の方法。
（項目８）
上記２個のスクランブリングコードは、上記ＰＳＣと関連する項目１に記載の方法。
（項目９）
上記ＰＳＳと上記ＳＳＳとは、連続的なＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを介して受信される項目１に記載の方法。
（項目１０）
上記２個のＳＳＣは、交互に（ｉｎｔｅｒｌｅａｖｅｄ）副搬送波にマッピングされる項目１に記載の方法。
（項目１１）
無線通信システムにおける同期信号を伝送する方法において、
ＰＳＣを含むＰＳＳを伝送して、及び
第１のＳＳＣと第２のＳＳＣとを含む第１のＳＳＳを伝送することを含み、
上記第１のＳＳＣは、第１のスクランブリングコードを用いてスクランブルされ、上記第２のＳＳＣは、第２のスクランブリングコードを用いてスクランブルされ、
上記第１のＳＳＣと上記第２のＳＳＣとは、生成多項式ｘ５＋ｘ２＋１により生成されるｍ−シーケンスで定義され、上記第１のスクランブリングコードと上記第２のスクランブリングコードとは、生成多項式ｘ５＋ｘ３＋１により生成されるｍ−シーケンスで定義される方法。
（項目１２）
上記第１のＳＳＣと上記第２のＳＳＣとは、相異なる循環シフトを用いて生成される項目１１に記載の方法。
（項目１３）
上記第１のスクランブリングコードと上記第２のスクランブリングコードとは、相異なる循環シフトを用いて生成される項目１１に記載の方法。
（項目１４）
上記第１のＳＳＣと上記第２のＳＳＣとを含む第２のＳＳＳを伝送することをさらに含み、上記第２のＳＳＳの第１のＳＳＣは、上記第２スクランブリングコードを用いてスクランブルされ、上記第２のＳＳＳの第２のＳＳＣは、上記第１のスクランブリングコードを用いてスクランブルされる項目１１に記載の方法。
（項目１５）
無線通信システムにおける同期信号を獲得する方法において、
基地局から伝送されるＰＳＳによりＰＳＣを確認して、及び
上記基地局から伝送されるＳＳＳにより２個のＳＳＣを確認することを含み、
上記２個のＳＳＣは、２個の相異なるスクランブリングコードを介して各々スクランブルされ、上記２個のＳＳＣは、生成多項式ｘ５＋ｘ２＋１により生成されるｍ−シーケンスで定義され、上記２個のスクランブリングコードは、生成多項式ｘ５＋ｘ３＋１により生成されるｍ−シーケンスで定義される方法。
（項目１６）
上記ＳＳＳは、第１のＳＳＳと第２のＳＳＳとを含み、上記第１のＳＳＳに使われる２個のスクランブリングコードは、上記第２のＳＳＳに使われる２個のスクランブリングコードと同じである項目１５に記載の方法。
（項目１７）
上記第１のＳＳＳの第１のＳＳＣは、第１のスクランブリングコードでスクランブルされ、上記第１のＳＳＳの第２のＳＳＣは、第２のスクランブリングコードでスクランブルされ、上記第２のＳＳＳの第１のＳＳＣは、上記第２のスクランブリングコードでスクランブルされ、上記第２のＳＳＳの第２のＳＳＣは、上記第１のスクランブリングコードでスクランブルされる項目１６に記載の方法。
【国際調査報告】
2010531610.tif 000032
2010531610.tif 000033